【手続補正書】
【提出日】平成20年11月10日(2008.11.10)
【手続補正１】
【補正対象書類名】特許請求の範囲
【補正対象項目名】全文
【補正方法】変更
【補正の内容】
【特許請求の範囲】
【請求項１】
フォークリフトあるいはリーチトラックにおけるキャリッジ用の持ち上げアセンブリであって、
水平方向に延びるヘッドを備え、
前記ヘッドは、
前記ヘッドから下方に突出する複数の吸引装置の配列であって、荷物としての物品の層、あるいは、物品の層の一部の表面に接触させるためのものであり、共通の平面内に配置された複数の端部を有する、複数の吸引装置の配列と、
前記ヘッドを真空源に連結させる前記ヘッドにおける部分と、
前記持ち上げアセンブリを、フォークリフトあるいはリーチトラックの昇降部分に、取り外し可能に取り付けることを可能とする手段と、
を有する、
持ち上げアセンブリ。
【請求項２】
請求項１に記載の持ち上げアセンブリであって、
前記ヘッドは、前記配列に共通の真空チャンバを備え、
前記真空チャンバは、前記フォークリフトあるいはリーチトラックにおける真空源に取り付け可能とされ、
前記吸引装置の夫々の端部は、前記物品に対するシール状態を形成するための弾性ベローズとされた、
持ち上げアセンブリ。
【請求項３】
請求項２に記載の持ち上げアセンブリであって、
前記吸引装置の夫々は、
前記ヘッドと流体流れの連結がされたベローズと、
前記ベローズと前記ヘッドとの間に介在する流路と、
前記流路内の上方弁座と、
前記流路内の下方弁座と、
一方の弁座から他方の弁座への移動が可能となるように前記流路内に配置されたバルブ部材と、
を備えた、
持ち上げアセンブリ。
【請求項４】
請求項３に記載の持ち上げアセンブリであって、
前記ベローズが前記物品に対してシール状態を形成して真空が引かれるときには、前記バルブ部材が前記弁座間で浮き上がり、そして、前記ベローズが動かなくなるときには、前記バルブ部材が上昇して前記上方弁座を閉鎖することで、エアが前記ヘッド内に流れることを抑制できるよう、前記流路の横断面の幅は、前記バルブ部材の横断面の幅よりも大きい、
持ち上げアセンブリ。
【請求項５】
請求項４に記載の持ち上げアセンブリであって、
前記ヘッドは脚部を有し、
該脚部は、前記ヘッドが使用されないときに、前記吸引装置が地面から離れた状態で前記吸引装置を支持可能な、
持ち上げアセンブリ。
【請求項６】
請求項１〜５の何れかに記載の持ち上げアセンブリであって、
前記ヘッドは係合手段を備え、
前記係合手段は、前記フォークリフトのフォークと係合されるか、あるいは、非係合の状態とされ、
前記ヘッドは、フォークリフト用のパレットと同じ領域を有している、
持ち上げアセンブリ。
【請求項７】
請求項６に記載の持ち上げアセンブリであって、
前記係合手段が、一組のシューであり、当該シュー内に前記フォークをスライド可能である、
持ち上げアセンブリ。
【請求項８】
請求項１〜７の何れかに記載の持ち上げアセンブリであって、
前記持ち上げアセンブリを取り外し可能に取り付けることを可能とする手段が、前記持ち上げアセンブリを前記フォークリフトのマストに固定させることが可能な、１つ以上のコネクタである、
持ち上げアセンブリ。
【請求項９】
請求項１〜８の何れかに記載の持ち上げアセンブリであって、
前記フォークリフトに前記持ち上げアセンブリを取り外し可能に取り付けることを可能にする手段が、サブアセンブリを有し、当該サブアセンブリは、前記ヘッドをフォークの方向の横方向に移動させることができ、その移動により、前記ヘッドを通路に置かれたラック内にリーチさせることができるようにする、
持ち上げアセンブリ。
【請求項１０】
請求項９に記載の持ち上げアセンブリであって、
伸縮できる支持手段が、引き込まれた運搬用位置と、伸ばされた持ち上げ／下ろし用位置との間で、前記ヘッドを地面と平行に移動させ、
ラムが、前記ヘッドを２つの前記位置間で移動させる、
持ち上げアセンブリ。
【請求項１１】
請求項９に記載の持ち上げアセンブリであって、
前記ヘッドは、前記持ち上げアセンブリを、鉛直軸を介して旋回させることが可能となるよう、フォークリフトに装着された放射状アームのためのコネクタを備えた、
持ち上げアセンブリ。
【請求項１２】
請求項９に記載の持ち上げアセンブリを備えたフォークリフトであって、
前記ヘッドは、フォークリフトにおけるキャリッジ用の自動巻取りを行うホース巻きを介して、真空源にホースにより連結された、
フォークリフト。
【請求項１３】
請求項１〜１２の何れかに記載の持ち上げアセンブリと、
前記フォークリフトのマストに隣接して、ヒンジにて前記フォークリフトに対して連結された取り付け具上に取り付けられたパレットフォークアセンブリと、
の組合せを備えたフォークリフトあるいはリーチトラックであって、
前記パレットフォークアセンブリは、前記持ち上げアセンブリの下方において、該持ち上げアセンブリに対して規定された積み込み位置と、該積み込み位置に対して約９０°傾いた箇所に位置する開始／終了位置との間で、直立軸周りに傾くことが可能にされた、
フォークリフトあるいはリーチトラック。
【請求項１４】
請求項１３に記載のフォークリフトあるいはリーチトラックであって、
前記パレットフォークアセンブリは、前記パレットフォークアセンブリを、前記積み込み位置と、前記開始／終了位置と、の間で弧を描くような経路で移動させるため、フォークと前記取り付け具との間に連結されたラムを備えた、
フォークリフトあるいはリーチトラック。
【請求項１５】
請求項１３あるいは１４に記載のフォークリフトあるいはリーチトラックであって、
前記パレットフォークアセンブリは、弧を描くような経路で前記パレットフォークアセンブリを支持することが可能な放射状アームによってフォークリフトに連結された、
フォークリフトあるいはリーチトラック。
【請求項１６】
請求項１３〜１５の何れかに記載のフォークリフトあるいはリーチトラックであって、
前記パレットフォークアセンブリは、
前記取り付け具をフォークリフトの側面に連結させることが可能な第１ヒンジ構成と、前記パレットフォークアセンブリのパレットフォークを支持することが可能な第２ヒンジ構成と、を備えた旋回取り付け具と、
前記旋回取り付け具と前記フォークリフトの側面との間に連結された第１のラムと、
旋回フレームと前記パレットフォークとの間に連結された第２のラムと、
を備えた、
フォークリフトあるいはリーチトラック。
【請求項１７】
請求項１６に記載のフォークリフトあるいはリーチトラックであって、
前記第２ヒンジ構成は直立旋回ポストを有し、
前記パレットフォークは、スライドするように前記旋回ポストに係合可能であり、
前記旋回取り付け具と前記パレットフォークとの間に連結されたリフト用ラムが、前記パレットフォークを昇降させる
フォークリフトあるいはリーチトラック。
【請求項１８】
請求項１７に記載のフォークリフトあるいはリーチトラックであって、
前記パレットフォークと前記リフト用ラムとの間にリフターが配置され、
前記リフターは、
前記リフト用ラムに連結された端部と、
前記旋回取り付け具に固定されたスライドに係合する反対側の端部と、
を有し、
これにより、前記パレットに弧を描く移動が許容されている間に前記リフターが直線的な動作を実行できる、
フォークリフトあるいはリーチトラック。
【請求項１９】
請求項１〜１２の何れかに記載の持ち上げアセンブリと、
請求項１３〜１８の何れかに記載のパレットフォークアセンブリと、
の組み合わせを備えた、
４方向型フォークリフト。
【請求項２０】
フォークリフトあるいはリーチトラックを用いて保管所に保管された物品を集める方法であって、
一群の持ち上げ手段が、前記フォークリフトあるいはリーチトラックの昇降部分に取り外し可能に取り付けられると共に、物品のパレット層を覆うことが可能である、物品の上方における、前記一群の持ち上げ手段と、前記物品と、の間に部分的に真空が適用されることにより、前記物品のパレット層、あるいは、前記物品のパレット層の一部に係合するステップと、
少なくとも一部のパレット層に生じる係合された物品を、パレットへ、あるいは、パレットから運搬するステップと、
を含む方法。
【請求項２１】
請求項２０に記載の方法であって、
前記係合するステップは、配列状に形成された複数の吸引装置にて、前記パレット層内に配置された物品に係合するステップを含み、該ステップにおいては、前記複数の吸引装置の配列がパレット層を覆う方法。
【請求項２２】
請求項２１に記載の方法であって、
前記係合するステップは、さらに、
前記パレット層内の何れかの物品に接触する吸引装置だけを変位させ、前記吸引装置を開かせて、前記吸引装置を部分的に真空接続するように、前記一群の持ち上げ手段を下降させるステップ、
を含む方法。
【請求項２３】
請求項２２に記載の方法であって、さらに、
前記物品に係合し、及び／あるいは、前記物品を通路に置かれた棚に、あるいは、棚から移動させるために、前記フォークリフトあるいは前記リーチトラックの横方向に、前記持ち上げ手段を移動させる、ステップ、
を含む方法。
【請求項２４】
請求項２３に記載の方法であって、
前記持ち上げ手段を移動させるステップが、さらに、
前記物品を持ち上げ、及び、前記物品を下ろすために前記ヘッドを延出するステップと、
前記物品を保持するために前記ヘッドを引き込むステップと、
を含む方法。
【請求項２５】
請求項２３あるいは２４に記載の方法であって、
前記持ち上げ手段を移動させるステップが、さらに、
前記一群の持ち上げ手段を鉛直軸周りに旋回させるステップ、
を含む方法。
【請求項２６】
請求項２０〜２５の何れかに記載の方法であって、さらに、
前記吸引装置が前記物品に係合していないときは、前記吸引装置を閉鎖状態に維持するステップ、
を含む方法。
【請求項２７】
請求項２０〜２６の何れかに記載の方法であって、さらに、
前記フォークリフトあるいはリーチトラックに旋回可能に取り付けられたパレットフォークアセンブリにて、開始／終了位置において、前記フォークリフトあるいはリーチトラックの周囲に配置されたパレットに係合するステップと、
前記パレットフォークアセンブリが、旋回取り付け具と、前記旋回取り付け具と前記フォークリフトあるいはリーチトラックの側面と、の間に連結された第１のラムと、旋回フレームとパレットフォークとの間に連結された第２のラムとを備え、前記旋回取り付け具が、該旋回取り付け具をフォークリフトの側面に連結させることが可能な第１ヒンジ構成と、前記パレットフォークアセンブリの前記パレットフォークを支持することが可能な第２ヒンジ構成とを備え、前記持ち上げアセンブリの下方であり、該持ち上げアセンブリに対して規定された積み込み／下ろし位置と、前記積み込み位置に対して約９０°傾いた箇所に位置する開始／終了位置と、にパレットを移動させるステップと、
前記持ち上げアセンブリにより係合された物品を、前記積み込み／下ろし位置に配置された前記パレットに、及び／あるいは、前記パレットから、運搬するステップと、
を含む方法。
【請求項２８】
請求項２７に記載の方法であって、
前記パレットを移動させるステップが、
前記パレットを、前記積み込み位置と前記開始／終了位置との間で直立軸周りに傾ける動作と、
前記パレットを、鉛直面内において、直線的に移動させる動作と、
の何れか一方、あるいは、組み合わせを含む方法。
【請求項２９】
請求項２８に記載の方法であって、
前記パレットを傾ける動作は、前記フォークリフトあるいはリーチトラックと前記旋回フレームとの間に配置された前記第１のラムの作動と、前記旋回フレームとパレット係合タインを支持するパレットバーとの間に配置された前記第２のラムの作動と、に分けられており、前記第１のラムを第２のラムよりも大きく駆動させることで、前記保管所に保管された物品を集めるために必要とされる作業スペースは低減され、
前記パレットを直線的に移動させる動作は、前記パレットバーの少なくとも１つの旋回アームに作用するリフト用ラム及びリフターにより少なくとも提供され、前記旋回フレームの突出部を昇降させる、
方法。